(57)【特許請求の範囲】
【請求項１】
グリップ（Ｇ）を有するシャフト（Ｓ）の先端部に取り付けられてスイング動作によって打撃音を出すヘッド（Ｈ）を有するものにおいて、
前記ヘッド（Ｈ）は、
前記シャフト（Ｓ）の先端部に取設される第１の胴体（１００）と、
両端が貫通された管体状を呈し、且つ、前記第１の胴体（１００）の後尾部に螺着される第２の胴体（１１０）と、
前記第２の胴体（１１０）の内部に移動自在に配設される可動錘（１４０）と、
磁力により前記第２の胴体（１１０）の先端部に前記可動錘（１４０）を固定する磁石（１８０）と、
前記磁石（１８０）と可動錘（１４０）との間の間隔を調節して可動錘（１４０）を引き寄せる磁力の強さを調節する調節手段と、
前記第２の胴体（１１０）の後端部に螺着されるキャップ（１２０）と、
前記キャップ（１２０）と可動錘（１４０）との間に介装されて遠心力によって瞬時に移動して前記キャップ（１２０）に衝突して衝撃音が発生すれば、これを元の位置に戻す戻し手段と、を備え、
前記第１の胴体（１００）の周縁に係止爪（２０４）を形成し、
前記第１の胴体（１００）よりも大きな内径を有する抜け止め胴体（２００）を設けて前記第２の胴体（１１０）に螺着された第１の胴体（１００）が前記抜け止め胴体（２００）の内部においてねじ回転によって前後進自在に前記第２の胴体（１１０）に螺着され、
前記抜け止め胴体（２００）の一方の先端部の内径に前記係止爪（２０４）と対応して係止されて前記第１の胴体（１００）がヘッドスピードの調節範囲以上に後退して引き抜かれないように限界を与える抜け止め爪（２０５）を形成したことを特徴とするヘッドスピードが調節可能な練習用ゴルフクラブ。
【請求項２】
前記調節手段は、
第１の胴体（１００）と接する第２の胴体（１１０）の内径部に段差（１１２）を形成して前記第１の胴体（１００）側への可動錘（１４０）の移動を制限し、
前記段差（１１２）と対応する前記第１の胴体（１００）には前記磁石（１８０）を固定して、螺着された前記第２の胴体（１１０）を正逆転させて第１の胴体（１００）から前後進させることにより前記磁石（１８０）と可動錘（１４０）との間の間隔を調節することを特徴とする請求項１に記載のヘッドスピードが調節可能な練習用ゴルフクラブ。
【請求項３】
前記調節手段は、
第１の胴体（１００）と接する第２の胴体（１１０）の内径部に段差（１１２）を形成し、
前記段差（１１２）に中央部に軸孔（１８２）が貫設された磁石（１８０）を固設し、
前記第１の胴体（１００）における前記軸孔（１８２）と並ぶ個所に雌ねじ部を形成し、
前記軸孔（１８２）を貫通して前記雌ねじ部に螺着される調節ボルトを締め付けて、第１の胴体（１００）に螺着された前記第２の胴体（１１０）の正逆転によって前後進して前記調節ボルトが軸孔（１８２）に対して出没して前記可動錘（１４０）を押して磁石（１８０）との間隔を調節することを特徴とする請求項２に記載のヘッドスピードが調節可能な練習用ゴルフクラブ。
【請求項４】
前記第２の胴体（１１０）の後尾部と前記第１の胴体（１００）の空間との間に相互間に弾性緊張力を与えるバネ（１９０）が張設されたことを特徴とする請求項３に記載のヘッドスピードが調節可能な練習用ゴルフクラブ。
【請求項５】
前記第１の胴体（１００）に螺着された第２の胴体（１１０）のねじ回転によって前後動する距離に応じて第１の胴体（１００）の磁石（１８０）と可動錘（１４０）との間の距離が変化して可動錘（１４０）に働く磁力の強さを調節し、その調節の度合いが目視できるように第２の胴体（１１０）と対応する第１の胴体（１００）の外側面の一方の側部に基準表示点を形成し、これと対応する前記第２の胴体（１１０）の周縁に磁力の強さに比例するヘッドスピード及びこれにより得られる飛距離（メートル、ヤード）を表示した調節目盛（１７０）を形成したことを特徴とする請求項２又は３に記載のヘッドスピードが調節可能な練習用ゴルフクラブ。
【請求項６】
前記戻し手段は、戻しバネ（１６０）であることを特徴とする請求項１に記載のヘッドスピードが調節可能な練習用ゴルフクラブ。
【請求項７】
前記戻し手段は、前記可動錘（１４０）とヘッド（Ｈ）の対応面に互いに同じ極が相対するように反発磁石（１６２ａ）（１６２ｂ）を配設して磁石の反発力によって元の位置に戻るようにしたことを特徴とする請求項１に記載のヘッドスピードが調節可能な練習用ゴルフクラブ。
【請求項８】
前記第２の胴体（１１０）とキャップ（１２０）との間に一つまたは複数が選択的に螺着される補助胴体（１５０）がさらに介装される請求項１に記載のヘッドスピードが調節可能な練習用ゴルフクラブ。
【請求項９】
前記キャップ（１２０）の中央部にねじ孔（１５６）を穿設してここに騒音調節ねじ（１５８）を締め付けて前記ねじの先端部が可動錘（１４０）とぶつかるキャップ（１２０）面又は補助胴体（１５０）の面よりも突出させて可動錘（１４０）がねじの先端部にぶつかるようにして衝撃音を低減するようにしたことを特徴とする請求項１に記載のヘッドスピードが調節可能な練習用ゴルフクラブ。
【請求項１０】
前記騒音調節ねじ（１５８）の端部に騒音緩和部材が取り付けられたことを特徴とする請求項９に記載のヘッドスピードが調節可能な練習用ゴルフクラブ。
【発明の詳細な説明】
【技術分野】
【０００１】
本発明は、スイング動作時にヘッド内部の可動錘が遠心力によって外部に移動してインパクト時点でヘッドの内部を打撃して発生する衝撃音と、手に伝わる感じを感知して正確なスイングが行われた否かが分かる練習用ゴルフクラブに関し、さらに詳しくは、可動錘の移動を抑える抑制力を精度よく調節して飛距離に要されるヘッドスピードが得られたときに限って正確なインパクト位置において打撃音を発生することから、スイング動作によるヘッドスピード感を体得することができる、ヘッドスピードが調節可能な練習用ゴルフクラブに関する。
【背景技術】
【０００２】
従来の練習用ゴルフクラブは、図１に示すように、グリップを有するシャフトの先端に打撃音を発生するヘッドを取り付けたような構造を有する。
前記ヘッドＨは、胴体１、２の内部に摺動空間１０を有し、前記空間１０内に可動錘２０を内蔵し、前記可動錘２０の先端部にバネ３０を取設してゴルフクラブＳを把持してスイングをすれば、遠心力によって前記可動錘２０がバネ３０を圧縮させつつ移動して空間１０の内側先端を打撃することにより打撃音を出すようになっている。
【０００３】
また、打撃後のフィニッシュ動作に際しては、圧縮されていたバネ３０の弾性力によって戻りつつ空間１０の後尾部を打撃して動作が完了した旨を知らせる打撃音を発生するようになっている。さらに、可動錘２０が僅かなスイング動作によっても打撃音を出すことを防ぐために、可動錘２０の初期位置の区間に可動錘２０の側面を付勢して引き金の機能をするボールストッパー４０を装着して可動錘２０の移動を抑えることにより、一定以上の遠心力が発生したときに限って弾み出されて衝撃音が出るようになっている。
【０００４】
しかしながら、この種の従来の練習用ゴルフクラブは、打撃音の発生時点を調節することができないようになっている。このため、所定のスピード以上のスイング動作さえ行われる限り打撃音が発生するため、ユーザーの身体的条件若しくはスイングスピード能力に応じて、ある場合には打撃音を発生させるのに甚だしい力が掛ったり、ある場合には正常インパクト時点前に予め打撃音が発生して正確なスイングが行われた否かが全く分からなくなったりする。これは、個人的な身体条件に応じてゴルフクラブを振り回すスイング速度が異ならざるを得ないため、設定されたヘッドスピード速度に達する時点が異なることに起因する。
【０００５】
このため、ゴルフスイング練習の効率性を期待することができないという不都合があり、実際に消費者からこのような苦情が昔から提起されてきたが、これを明快に解消できる製品が上市されていないのが現状である。
このような現象は個人的な身体特性によって発生することもあれば、練習用ゴルフクラブの特性によって発生することもある。すなわち、可動錘２０を元の位置に戻すバネ３０の弾性力の違いや可動錘２０の移動を抑えるボールストッパー４０の弾性力によっても打撃音の発生時点が変化するため、練習用ゴルフクラブの信頼性が低下するという問題点がある。
【発明の概要】
【発明が解決しようとする課題】
【０００６】
本発明は上述した従来の問題点を解消するためになされたものであり、その目的は、 練習用ゴルフクラブの打撃音を出すためのヘッドスピードをユーザーが任意に調節することができて、個人差に応じてゴルフスイング練習が行えるヘッドスピードが調節可能な練習用ゴルフクラブを提供するところにある。
【０００７】
また、本発明の他の目的は、打撃音の発生のためのヘッドスピードを目視しつつ正確に調節することを可能とし、目標とするゴルフボールの飛距離を出すのに必要とされるヘッドスピードを設定してそれに合うスイング動作を習得させることにより、飛距離に応じた正確なヘッドスピード感を体得することができる、ヘッドスピードが調節可能な練習用ゴルフクラブを提供するところにある。
【課題を解決するための手段】
【０００８】
前記目的を達成するために、本発明に係るヘッドスピードの調節可能な練習用ゴルフクラブは、グリップを有するシャフトの先端部に取り付けられてスイング動作によって打撃音を出すヘッドを有するものであって、前記ヘッドは、前記シャフトの先端部に取設される第１の胴体と、両端が貫通された管体状を呈し、且つ、前記第１の胴体の後尾部に螺着される第２の胴体と、前記第２の胴体の内部に移動自在に配設される可動錘と、磁力により前記第２の胴体の先端部に前記可動錘を固定する磁石と、前記磁石と可動錘との間の間隔を調節して可動錘を引き寄せる磁力の強さを調節する調節手段と、前記第２の胴体の後端部に螺着されるキャップと、前記キャップと可動錘との間に介装されて遠心力によって瞬時に移動して前記キャップに衝突して衝撃音が発生すれば、これを元の位置に戻す戻し手段と、を備える。
【０００９】
また、本発明に係るヘッドスピードが調節可能な練習用ゴルフクラブにおいて、前記調節手段は、第１の胴体と接する第２の胴体の内径部に段差を形成して前記第１の胴体側への可動錘の移動を制限し、前記段差と対応する前記第１の胴体には前記磁石を固定して、螺着された前記第２の胴体を正逆転させて第１の胴体から前後進させることにより前記磁石と可動錘との間の間隔を調節することを特徴とする。
【００１０】
さらに、本発明に係るヘッドスピードが調節可能な練習用ゴルフクラブにおいて、前記調節手段は、第１の胴体と接する第２の胴体の内径部に段差を形成し、前記段差に中央部に軸孔が貫設された磁石を固設し、前記第１の胴体における前記軸孔と並ぶ個所に雌ねじ部を形成し、前記軸孔を貫通して前記雌ねじ部に螺着される調節ボルトを締め付けて、第１の胴体に螺着された前記第２の胴体の正逆転によって前後進して前記調節ボルトが軸孔を出没して前記可動錘を押して磁石との間隔を調節することを特徴とする。
【００１１】
さらに、本発明に係るヘッドスピードが調節可能な練習用ゴルフクラブは、前記第１の胴体に螺着された第２の胴体のねじ回転によって前後動する距離に応じて第１の胴体の磁石と可動錘との間の距離が変化して可動錘に働く磁力の強さを調節し、その調節の度合いが目視できるように第２の胴体と対応する第１の胴体の外側面の一方の側部に基準表示点を形成し、これと対応する前記第２の胴体の周縁に磁力の強さと比例するヘッドスピード及びこれにより得られる飛距離（メートル、ヤード）を表示した調節目盛を形成したことを特徴とする。
【発明の効果】
【００１２】
本発明に係るヘッドスピードが調節可能な練習用ゴルフクラブは、第２の胴体に形成された任意の飛距離目盛を第１の胴体の基準目盛に一致させると、設定された磁石と可動錘との間の間隔が調節されてスイング動作時に目標とする飛距離に必要なヘッドスピードが得られたときに限って正確なインパクト位置において打撃音が発生する。これにより、練習者が自ら所望の飛距離に必要なヘッドスピード感を体得することができるというメリットがある。
【００１３】
また、フルスイングをするときにも、身体的条件やスイングスピード能力に合わせてヘッドスピードを調節することができるので、自分の条件に合う正確なスイング動作を練習することができるというメリットがある。
【図面の簡単な説明】
【００１４】
【図１】図１は、従来の技術による練習用ゴルフクラブの構造を示す断面図である。
【図２】図２は、本発明の第１の実施形態による練習用ゴルフクラブの分解断面図である。
【図３】図３は、本発明の第１の実施形態による練習用ゴルフクラブの結合断面図である。
【図４】図４は、本発明の第１の実施形態による練習用ゴルフクラブの正面図である。
【図５】図５は、本発明の第２の実施形態による練習用ゴルフクラブの分解断面図である。
【図６】図６は、本発明の第２の実施形態による練習用ゴルフクラブの結合断面図である。
【図７】図７は、本発明の第３の実施形態による練習用ゴルフクラブの構造図である。
【図８】図８は、本発明の第３の実施形態による練習用ゴルフクラブの構造図である。
【発明を実施するための形態】
【００１５】
以下、添付図面に基づき、本発明に係るヘッドスピードが調節可能な練習用ゴルフクラブの構成を詳述する。
図２は、本発明の第１の実施形態による練習用ゴルフクラブの分解断面図であり、図３は、本発明の第１の実施形態による練習用ゴルフクラブの結合断面図であり、図４は、本発明の第１の実施形態による練習用ゴルフクラブの正面図である。
【００１６】
同図に示すように、本発明に係るヘッドスピードが調節可能な練習用ゴルフクラブは、グリップＧを有するシャフトＳと、前記シャフトＳの先端部に取り付けられてスイング動作によって打撃音を出すヘッドＨと、から構成される。
【００１７】
また、前記ヘッドＨは、前記シャフトＳの先端部に取設される第１の胴体１００と、前記第１の胴体１００の後尾部に螺着される第２の胴体１１０と、前記第２の胴体１１０の内部に移動自在に配設される可動錘１４０と、磁力により前記第２の胴体１１０の先端部に前記可動錘１４０を固定する磁石１８０と、前記磁石１８０と可動錘１４０との間の間隔を調節して可動錘１４０を引き寄せる磁力の強さを調節する調節手段と、前記第２の胴体１１０の後端部に螺着されるキャップ１２０と、前記キャップ１２０と可動錘１４０との間に介装されて前記可動錘１４０を元の位置に戻す戻し手段と、から構成される。
【００１８】
前記ヘッドＨの第１の胴体１００は、一方の端部にシャフト孔１０２を穿設し、その反対側の先端部に第２の胴体１１０を螺着する第１の雌ねじ部１０８を形成する。前記第１の雌ねじ部１０８の深さを十分に与えて前記第２の胴体１１０の先端部の周縁に形成された第２の雄ねじ部１１４が十分な深さをもって結合できるように構成する。
【００１９】
また、シャフト孔１０２が穿設された第１の胴体１００の側部には、シャフト孔１０２に貫通されるキー溝１０４と、前記キー溝１０４に嵌め込まれるキー１０６と、を設ける。これにより、前記シャフトＳの先端部を挿入した後、側部にシャフト孔１０２に向かうキー溝１０４を凹設し、ここにキー１０６を打ち込んで前記シャフトＳとの強固な結合を図る。すなわち、前記キー溝１０４はねじ孔として形成するとともに、前記キー１０６はねじを形成してねじ孔にねじを締め付けてシャフト孔１０２に挿入されたシャフトＳを押し付けて第１の胴体１００とシャフトＳを一体化させるのである。
【００２０】
前記ヘッドＨの第２の胴体１１０は、両側が開放された管体であり、第１の胴体１００と対応する先端部の内径に段差１１２を形成し、先端部の周縁に第１の胴体１００の第１の雌ねじ部１０８に締め付けられる第２の雄ねじ部１１４を形成して第１の胴体１００の第１の雌ねじ部１０８に螺着する。前記第２の胴体１１０は、正逆転操作により前記第１の胴体１００からの出没深さが調節される。また、前記第２の雄ねじ部１１４と反対側の先端部の内径にはキャップ１２０の結合のための第２の雌ねじ部１１６を形成する。
【００２１】
前記ヘッドＨの可動錘１４０は、一方の端部の周縁に段差１１２が収容される段差溝１４２を凹設して前記第２の胴体１１０の内部に挿入する。挿入された可動錘１４０を段差１１２に向かって移動させると、周縁に凹設された前記段差溝１４２によって自然に形成された中央の突出部１４４が前記段差１１２の内部空間に挿入される。そして、反対側の端部にはバネ支持部１４６を突設して戻しバネ１６０の一方の端を支持する。前記バネ支持部１４６の前面は、スイングによる遠心力が発生すれば、キャップ１２０に向かって移動しつつキャップ１２０面に衝突して衝撃音を発生させる。前記衝撃音は、ゴルフボールを打つときに発生する打撃音と同様であり、ゴルフボールを打つような感じを持たせてもよい。
【００２２】
前記キャップ１２０は、一方の側に前記第２の胴体１１０の第２の雌ねじ部１１６に締め付けられる第３の雄ねじ部１２２を形成して、上述したように、前記第２の胴体１１０の第２の雌ねじ部１１６に螺着する。
前記補助胴体１５０は、前方に第２の胴体１１０の第２の雌ねじ部１１６に取設される第４の雄ねじ部１５２を形成し、その後尾部にキャップ１２０の第３の雄ねじ部１２２または他の補助胴体１５０の第４の雄ねじ部１５２を締め付けるための第４の雌ねじ部１５４を形成したような構造を有する。
【００２３】
このような補助胴体１５０は複数設けて、必要に応じて、連続的に結合してヘッドＨの重量を増やす。もちろん、最終的な後尾部第４の雌ねじ部１５４にはキャップ１２０の第３の雄ねじ部１２２を螺着する。これは、ヘッドＨの重さをユーザーの好みに応じて加減するためである。また、本発明に係るゴルフクラブのヘッドＨは、スイング動作によって発生した遠心力が磁石１８０によって取り付けられた可動錘１４０を磁石１８０から取り外す限界点を調節する調節手段を有する。
【００２４】
前記調節手段の機能は、第１の胴体１００と接する第２の胴体１１０の内径部に段差１１２と前記第２の胴体１１０が第１の胴体において正逆転して出没することにより、段差１１２によって第２の胴体１１０と一緒に可動錘１４０が進退して第１の胴体１００に配設された磁石１８０との距離を変化させることにより行われる。すなわち、第２の胴体１１０を時計回り方向に回転させて後退させると、第１の胴体１００に固定された磁石１８０から前記可動錘１４０が遠ざかるため、磁力の範囲から遠ざかり、これにより、可動錘１４０を引き寄せようとする力が弱化して弱い遠心力でも可動錘１４０をキャップ１２０に向かって移動させることができる。逆に、第２の胴体１１０を第１の胴体１００に向かって移動させると、磁石１８０に可動錘１４０が次第に近づいて磁力が強くなるため、磁石１８０から可動錘１４０を取り外すのに一層強い遠心力が必要となり、一層高速なスイングをしてこそ、可動錘１４０が取り外されて打撃音を出すこととなる。
【００２５】
一方、ヘッドＨに向かって移動した可動錘１４０をさらに磁石１８０が位置している元の個所に戻す戻し手段として戻しバネ１６０を使用してもよく、前記可動錘１４０とヘッドＨの対応面に互いに同じ極が相対するように反発磁石１６２ａ、１６２ｂを配設して磁石の反発力によって戻るようにしてもよい。これは、戻しバネ１６０の製造に際して、長いバネを所定の長さに切り取って製造するが、このとき、切断誤差によって長さにばらつきが発生して弾性力にばらつきが発生する。ところが、磁石は、その磁力を一定に形成することができるので、復帰力が一定に働くという効果がある。
【００２６】
また、本発明に係るゴルフクラブのヘッドＨを構成している第２の胴体１１０の先端部の周縁には複数の調節目盛１７０を形成し、これと対応する第１の胴体１００の周縁には基準目盛１７２を一つ描いている。特に、前記調節目盛１７０は、任意の飛距離を出すために必要なヘッドスピードを計算して、これを基準として可動錘１４０の移動抑制力を算出し、これによる磁石１８０と可動錘１４０との間の間隔をどれほど離隔させるべきであるかを表示してユーザーが目視できるようにしたものである。
換言すれば、前記第１の胴体１００に螺着された第２の胴体１１０のねじ回転によって第１の胴体１００内の磁石１８０と第２の胴体１１０内の可動錘１４０との間の距離が変化して、可動錘１４０に働く磁力の強さを調節するためのものであり、前記調節目盛１７０はその調節の度合いを目視できるようにするためのものである。すなわち、可動錘１４０を引き寄せる磁力の強さに比例するヘッドスピードに応じて得られる飛距離を表示した調節目盛１７０を形成している。
【００２７】
前記調節目盛１７０は、ゴルファーが重要視するヘッドスピードが表示されており、ヘッドスピードによる実際の飛距離がメートルまたはヤードにて表記されていて、実質的なヘッドスピードと距離感覚を身に付けることができ、これにより、実質的な練習及び興味を感じることが可能となる。
【００２８】
以下、このような構造による本発明の動作関係を説明する。
グリップＧを把持した状態で、ゴルフクラブを振り回してスイング動作をすれば、ヘッドＨが体を中心として回転することとなり、ヘッドＨに内蔵された可動錘１４０に大きな遠心力が働いて外部に移動しようとする力が発生することとなる。その力が可動錘１４０を固定している磁力よりも強い場合にはキャップ１２０に向かって移動して衝撃することとなり、その衝撃によって打撃音が発生することとなる。ところが、遠心力が可動錘１４０を引き寄せている磁力よりも弱い場合には可動錘１４０は移動しなくなり、音が出ない。これは、十分なヘッドスピードが得られなかったということであり、より高速なスイングを通じて適正なヘッドスピードを出す訓練をすることができる。
【００２９】
ヘッドスピードを減らして小さくて遅いスイング動作をしても打撃音を出したいときには、第２の胴体１１０を時計回り方向に回転させて後退させる。この操作によって第２の胴体１１０内に配設された可動錘１４０が第１の胴体１００に配設された磁石１８０から遠ざかることとなる。第２の胴体１１０の周縁に表示された飛距離調節目盛１７０を確認しつつ所望の距離だけ後退させた後にスイングをすれば、小さくて遅いスイング動作をしても可動錘１４０が移動して打撃音が出ることとなる。
【００３０】
逆に、高速なヘッドスピードで打撃音を出したいときには、第２の胴体１１０を時計回り方向に回転させて第１の胴体１００に向かって移動させる。第２の胴体１１０が第１の胴体１００に向かって移動すれば、第２の胴体１１０に内蔵された磁石１８０が第１の胴体１００に配設された磁石１８０に近づくため、可動錘１４０は強い磁力の範囲に次第に収まり、強い遠心力を加えてこそ、可動錘１４０が取り外されて打撃音が出ることとなる。これもまた、第２の胴体１１０に表示された飛距離調節目盛１７０を第１の胴体１００の基準目盛１７２に対応付けて調節した後に使用する。
【００３１】
ちなみに、本発明に係る練習用ゴルフクラブを使って練習するユーザーは、飛距離調節目盛１７０を調節して自分が目標とする飛距離を出したいときにはどれほどのヘッドスピードを出せばよいかを練習することが可能となる。すなわち、特定の飛距離調節目盛１７０に基準目盛１７２を一致させた後にスイングをすれば、その遠心力の強さによって可動錘１４０が移動して打撃音を出すこととなるが、適正なヘッドスピードに達しない場合には、可動錘１４０が移動しなくなり、音が出なくなる。また、適正なヘッドスピード以上にスイングがなされた場合には正確なインパクト位置の以前に打撃音が発生してスイング動作が過渡に行われたことを感じることとなる。このような過程を繰り返して、正確なインパクト位置において打撃音が発生するときにはじめて正確な目標の飛距離に必要なヘッドスピードが分かることとなるため、これを繰り返し練習して身に付けることが可能となる。
【００３２】
一方、スイング動作中にフィニッシュ動作が行われると、遠心力が除去されて戻し手段である戻しバネ１６０の弾性力若しくは反発磁石の反発力によって可動錘１４０は再び磁石１８０のところに戻る。また、本発明に係る練習用ゴルフクラブには、夜間にスイング練習をするとき、打撃音のボリュームを減らす機能が付いている。すなわち、キャップ１２０の中央部にねじ孔１５６を穿設して、ここに騒音調節ねじ１５８を締め付けてその先端が第２の胴体１１０の内部に出没されるようにする。また、前記騒音調節ねじ１５８の端部には騒音緩和部材が配設されるが、主としてテフロン（登録商標）やアセタールを使用し、その他の騒音緩和機能を有する素材を採用してもよい。
【００３３】
このような構造によって前記ねじの先端部が可動錘１４０とぶつかるキャップ１２０面よりも突き出ると、可動錘１４０はねじの先端部に取設されている衝撃音緩和素材の一種であるテフロン（登録商標）やアセタールなどにぶつかるため、衝撃音が大幅に減少し、その代わりに、シャフトに乗って伝わる衝撃力を手で感じることとなり、周りの人々に騒音を発生することなく練習することができる。このため、キャップ１２０に取り付けられた騒音調節ねじ１５８を調節することにより打撃音を調節することが可能となる。
前記騒音調節ねじ１５８は、キャップ１２０に配設された場合を例にとって説明したが、各補助胴体１５０に配設して打撃音の強弱を調節してもよい。
【００３４】
発明の実施のための態様
図５は、本発明の第２の実施形態による練習用ゴルフクラブの分解断面図であり、図６は、本発明の第２の実施形態による練習用ゴルフクラブの結合断面図である。
【００３５】
同図に示すように、本発明の第２の実施形態による練習用ゴルフクラブは、第１の実施形態とは、調節手段の構造が異なるというところに相違点がある。
前記第２の胴体１１０の先端の内径部に段差１１２を形成してその内側に可動錘１４０を磁力により引き寄せて固定する磁石１８０を配設し、前記磁石１８０の中央部に軸孔１８２を形成し、これと対応する第１の胴体１００の内部にねじ孔１０１を穿設して前記軸孔１８２を介して前記ねじ孔１０１に隙間調節ねじ１０３を締め付けて前記第２の胴体１１０を正逆転させるといった操作によって前後進させると、第１の胴体１００に締め付けられた隙間調節ねじ１０３が第１の胴体１００と一緒に前後進しつつ第２の胴体１１０の内部に出没して前記可動錘１４０を押すため、可動錘１４０と磁石１８０との間の距離を調節することが可能となる。
【００３６】
さらに、第２の胴体１１０と第１の胴体１００との間には、互いに緊張力を与えるために互いに胴体に弾性力を加えるバネ１９０を張設する。
組み合わせ方法は、第２の胴体１１０を第１の胴体１００に締め付け、磁石１８０と可動錘１４０との間の間隔を調節範囲の限界点に後退させた後、第２の胴体１１０の内部を通って前記ねじ孔１０１に隙間調節ねじ１０３を締め付けて強固に締め付ける。その後、可動錘１４０と戻しバネ１６０及びキャップ１２０または補助胴体１５０を組み合わせる。このようにして組み合わせが完了すると、第２の胴体１１０は間隔調節範囲の限界点以上に後退させると、前記第２の胴体１１０またはその内部に配設された磁石１８０の軸孔１８２に隙間調節ねじ１０３の頭部が引っ掛かってそれ以上移動できなくなる。
【００３７】
すなわち、第２の胴体１１０が第１の胴体１００に螺着されるとともに、隙間調節ねじ１０３が第１の胴体１００の雌ねじ部１０７に螺着されて、結果的に２重結合がなされる。特に、第２の胴体１１０と第１の胴体１００との間の間隔と、第２の胴体１１０と隙間調節ねじ１０３との間の間隔とが異なるため、第２の胴体１１０が第１の胴体１００から取り外されるときに隙間調節ねじ１０３の限界以上に取り外される場合には前記隙間調節ねじ１０３の頭部に引っ掛かってそれ以上引き抜かれないため、第２の胴体１１０が第１の胴体１００から非正常的に取り外されるという現象が防がれる。このように第２の実施形態の隙間調節ねじ１０３は、第２の胴体１１０と第１の胴体１００とを強固に連結する安全装置の機能を兼ねる。
【００３８】
また、このように第１の胴体１００と第２の胴体１１０との間に隙間調節ねじ１０３やバネ１９０などの附属物が介装されるため、附属物を収容するためのスペースを確保するために第１の胴体１００と第２の胴体１１０の構造が僅かに変更せざるを得ない。すなわち、附属物を収容するためのスペースを確保するために、前記第１の胴体１００の第２の胴体１１０と対応する先端部に雄ねじ部１０５を形成し、これと対応する第２の胴体１１０には雌ねじ部１０７を形成して螺合するという構造を形成する。このような構造を有する第２の実施形態は、目標とするヘッドスピードを設定する機能は第１の実施形態と同様である。
【００３９】
図７及び図８は、本発明の第３の実施形態による練習用ゴルフクラブの構造図である。
前記図７及び図８に示すように、ヘッドＨに第２の胴体１１０に螺着された第１の胴体１００が非正常的な原因によって取り外されることを防ぐ安全装置を設ける。
すなわち、前記第１の胴体１００の周縁に係止爪２０４を形成し、前記第１の胴体１００よりも大きな内径を有する抜け止め胴体２００を設けて、前記第２の胴体１１０に螺着された第１の胴体１００が前記第２の胴体１１０に螺着し、前記抜け止め胴体２００の内部においてねじ回転によって前後進動作が可能となる。次いで、前記第１の胴体１００がヘッドスピード調節範囲以上に後退して引き抜かれないように限界を与える抜け止め爪２０５を形成し、前記抜け止め胴体２００の一方の先端部内径の前記係止爪２０４と対応して係止される。
【００４０】
このとき、前記第２の胴体１１０に第１の胴体１００が組み付けられるために、第２の胴体１１０の周縁にロック雄ねじ部２０３を形成し、これと対応する前記抜け止め胴体２００の一方の先端部の内径にはロック雌ねじ部２０２を形成する。
このような構造によって、前記抜け止め胴体２００を最大限に第２の胴体１１０に完全に締め付けても、前記第１の胴体１００は第２の胴体１１０と抜け止め胴体２００の抜け止め爪２０５との間においてヘッドスピードを十分に調節することができる。
【００４１】
もし、第１の胴体１００を第２の胴体１１０から最後まで後退させても、第１の胴体１００の周縁の係止爪２０４が前記抜け止め胴体２００の抜け止め爪２０５に引っ掛かってそれ以上後退することができない。このため、第１の胴体１００は抜け止め胴体２００によって人為的に取り外す操作をしなくては、非正常的に第２の胴体１１０から取り外されない。
【符号の説明】
【００４２】
Ｇ          グリップ
Ｓ          シャフト
Ｈ          ヘッド
１００      第１の胴体
１０２      シャフト孔
１０４      キー溝
１０６      キー
１０８      第１の雌ねじ部
１１０      第２の胴体
１１２      段差
１１４      第２の雄ねじ部
１１６      第２の雌ねじ部
１２０      キャップ
１２２      第３の雄ねじ部
１４０      可動錘
１４２      段差溝
１４４      突出部
１４６      バネ支持部
１５０      補助胴体
１５２      第４の雄ねじ部
１５４      第４の雌ねじ部
１５６      ねじ孔
１５８      騒音調節ねじ
１６０      戻しバネ
１６２ａ、１６２ｂ      反発磁石
１７０      調節目盛
１７２      基準目盛
１８０      磁石
１８２      軸孔
１０１      ねじ孔
１０３      隙間調節ねじ
１０５      雄ねじ部
１０７      雌ねじ部
１９０      バネ
２００      抜け止め胴体
２０２      ロック雌ねじ部
２０３      ロック雄ねじ部
２０４      係止爪
【図１】
0005662948.tif 000002
【図２】
0005662948.tif 000003
【図３】
0005662948.tif 000004
【図４】
0005662948.tif 000005
【図５】
0005662948.tif 000006
【図６】
0005662948.tif 000007
【図７】
0005662948.tif 000008
【図８】
0005662948.tif 000009